(57)【要約】【課題】余白なし印刷時に、トナーによる用紙の汚れを抑制することができる画像形成装置を提供する。【解決手段】記録媒体の端部に対して余白なしで形成され像保持体上に保持されたトナー像を記録媒体に転写する転写手段と、余白あり印刷時に比べて記録媒体とトナー像の付着力を増加させる付着力増加手段と、を備え、付着力増加手段は、トナー及びキャリアからなる現像剤中のトナー濃度を減少させることで、トナー像の帯電量を増加させる。【選択図】図６
2018189932.tif 000002
【特許請求の範囲】
【請求項１】
記録媒体の端部に対して余白なしで形成され像保持体上に保持されたトナー像を前記記録媒体に転写する転写手段と、
余白あり印刷時に比べて前記記録媒体と前記トナー像の付着力を増加させる付着力増加手段と、を備えた、
ことを特徴とする画像形成装置。
【請求項２】
前記付着力増加手段は、トナー及びキャリアからなる現像剤中のトナー濃度を減少させることで、前記トナー像の帯電量を増加させる、
ことを特徴とする請求項１に記載の画像形成装置。
【請求項３】
前記付着力増加手段は、現像コントラスト電位を上限に固定した状態で前記像保持体上に形成される画質調整用トナー像の濃度に基づいて、前記現像剤中のトナー濃度を減少させることで、前記トナー像の帯電量を増加させる、
ことを特徴とする請求項２に記載の画像形成装置。
【請求項４】
前記付着力増加手段は、前記現像剤中の前記トナーを前記像保持体に吐き出すことにより、トナー濃度を余白あり印刷時よりも１質量％ないし３質量％減少させる、
ことを特徴とする請求項２又は３に記載の画像形成装置。
【請求項５】
前記付着力増加手段は、間隔をあけて配置された感光体上に現像された前記トナー像を前記像保持体に転写するための一次転写バイアス電圧のうち前記像保持体の移動方向最下流に配置された前記感光体と前記像保持体の間に印加される前記一次転写バイアス電圧を増加させることで、前記トナー像の帯電量を増加させる、
ことを特徴とする請求項１に記載の画像形成装置。
【請求項６】
前記付着力増加手段は、前記像保持体の移動方向最下流に配置された感光体と前記像保持体から前記記録媒体へ前記トナー像を転写する前記転写手段の間で前記像保持体に対向して非接触で配置された帯電手段であり、前記帯電手段が放電することで前記トナー像に前記トナー像の電荷の極性と同極性の電荷を付与することで、前記トナー像の帯電量を増加させる、
ことを特徴とする請求項１に記載の画像形成装置。
【請求項７】
前記付着力増加手段は、前記記録媒体の搬送方向において、前記像保持体から前記記録媒体へ前記トナー像を転写する前記転写手段の下流側で、搬送される前記記録媒体に対向して非接触で配置された帯電手段であり、前記帯電手段が放電することで前記記録媒体上に転写された前記トナー像に前記トナー像の電荷の極性と同極性の電荷を付与することで、前記記録媒体と前記トナー像の付着力を増加させる、
ことを特徴とする請求項１に記載の画像形成装置。
【請求項８】
前記付着力増加手段は、前記記録媒体の搬送方向において、前記像保持体から前記記録媒体へ前記トナー像を転写する前記転写手段の上流側で、搬送される前記記録媒体に対向して非接触で配置された帯電手段であり、前記帯電手段が放電することで前記記録媒体に前記トナー像の電荷の極性と逆極性の電荷を付与することで、前記記録媒体と前記トナー像の付着力を増加させる、
ことを特徴とする請求項１に記載の画像形成装置。
【請求項９】
前記帯電手段は、コロトロン帯電器である、
ことを特徴とする請求項６ないし８のいずれか１項に記載の画像形成装置。
【請求項１０】
前記帯電手段は、複数の鋸刃状電極からなる尖状電極部材である、
ことを特徴とする請求項６ないし８のいずれか１項に記載の画像形成装置。
【請求項１１】
前記付着力増加手段は、前記記録媒体の搬送方向において、前記像保持体から前記記録媒体へ前記トナー像を転写する前記転写手段の上流側で、搬送される前記記録媒体に対向して配置された電荷付与手段であり、前記トナー像の電荷の極性と逆極性のバイアス電圧が印加された前記電荷付与手段が前記記録媒体に接触することで前記記録媒体に前記トナー像の電荷の極性と逆極性の電荷を付与することで、前記記録媒体と前記トナー像の付着力を増加させる、
ことを特徴とする請求項１に記載の画像形成装置。
【請求項１２】
前記電荷付与手段は、導電性繊維を含む毛羽が前記記録媒体の搬送方向に交差して植設されたバーブラシである、
ことを特徴とする請求項１１に記載の画像形成装置。
【請求項１３】
前記電荷付与手段は、導電性繊維を含む毛羽が回転軸の周りに植設されたロールブラシである、
ことを特徴とする請求項１１に記載の画像形成装置。
【請求項１４】
前記電荷付与手段は、導電性弾性体層を有する回転ロールである、
ことを特徴とする請求項１１に記載の画像形成装置。
【請求項１５】
前記付着力増加手段は、前記像保持体から前記記録媒体へ前記トナー像を転写する前記転写手段の前記記録媒体への押圧力を増加することで、前記トナー像の付着力を増加させる、
ことを特徴とする請求項１に記載の画像形成装置。
【発明の詳細な説明】
【技術分野】
【０００１】
本発明は、画像形成装置に関する。
【背景技術】
【０００２】
記録材Ｓの作像面領域よりも広い作像領域にて記録材の周囲に余白の無い縁無し画像を形成する画像形成部、中間転写体、転写装置及び定着装置を備えた中間転写型の画像形成装置であって、トナーは２ないし５μｍの体積平均粒径であり、縁無し画像を作製する際に、記録材の周縁域に作製する画像に対し少なくとも積層トナー厚が予め決められた閾値以上の条件では各色成分トナーによる画像濃度比を保って閾値以下の画像に変換処理する作像処理部を有する画像形成装置が知られている（特許文献１）。
【０００３】
トナー像を保持するトナー像保持体と、トナー像保持体に中間転写体を挟んで対向し、中間転写体を押圧してトナー像保持体に保持されたトナー像を中間転写体上に転写させる一次転写部材と、中間転写体に対向し、記録媒体の裏面に接触して電荷を付与することにより中間転写体上のトナー像を記録媒体上に転写させる二次転写部材と、記録媒体に対して余白を設けることなくトナー像を形成する縁無し印刷の有無を判断する判断手段と、一次転写部材の前記中間転写体に対する押圧力を調整する押圧機構と、を備え、縁無し印刷時に一次転写部材の押圧力を通常印刷時よりも大きくする画像形成装置も知られている（特許文献２）。
【先行技術文献】
【特許文献】
【０００４】
【特許文献１】特開２０１６−１７３５４６号公報
【特許文献２】特開２０１４−３８２６１号公報
【発明の概要】
【発明が解決しようとする課題】
【０００５】
本発明は、余白なし印刷時に、トナーによる用紙の汚れを抑制することができる画像形成装置を提供する。
【課題を解決するための手段】
【０００６】
前記課題を解決するために、請求項１に記載の画像形成装置は、
記録媒体の端部に対して余白なしで形成され像保持体上に保持されたトナー像を前記記録媒体に転写する転写手段と、
余白あり印刷時に比べて前記記録媒体と前記トナー像の付着力を増加させる付着力増加手段と、を備えた、
ことを特徴とする。
【０００７】
請求項２記載の発明は、請求項１に記載の画像形成装置において、
前記付着力増加手段は、トナー及びキャリアからなる現像剤中のトナー濃度を減少させることで、前記トナー像の帯電量を増加させる、
ことを特徴とする。
【０００８】
請求項３記載の発明は、請求項２に記載の画像形成装置において、
前記付着力増加手段は、現像コントラスト電位を上限に固定した状態で前記像保持体上に形成される画質調整用トナー像の濃度に基づいて、前記現像剤中のトナー濃度を減少させることで、前記トナー像の帯電量を増加させる、
ことを特徴とする。
【０００９】
請求項４記載の発明は、請求項２又は３に記載の画像形成装置において、
前記付着力増加手段は、前記現像剤中の前記トナーを前記像保持体に吐き出すことにより、トナー濃度を余白あり印刷時よりも１質量％ないし３質量％減少させる、
ことを特徴とする。
【００１０】
請求項５記載の発明は、請求項１に記載の画像形成装置において、
前記付着力増加手段は、間隔をあけて配置された感光体上に現像された前記トナー像を前記像保持体に転写するための一次転写バイアス電圧のうち前記像保持体の移動方向最下流に配置された前記感光体と前記像保持体の間に印加される前記一次転写バイアス電圧を増加させることで、前記トナー像の帯電量を増加させる、
ことを特徴とする。
【００１１】
請求項６記載の発明は、請求項１に記載の画像形成装置において、
前記付着力増加手段は、前記像保持体の移動方向最下流に配置された感光体と前記像保持体から前記記録媒体へ前記トナー像を転写する前記転写手段の間で前記像保持体に対向して非接触で配置された帯電手段であり、前記帯電手段が放電することで前記トナー像に前記トナー像の電荷の極性と同極性の電荷を付与することで、前記トナー像の帯電量を増加させる、
ことを特徴とする。
【００１２】
請求項７記載の発明は、請求項１に記載の画像形成装置において、
前記付着力増加手段は、前記記録媒体の搬送方向において、前記像保持体から前記記録媒体へ前記トナー像を転写する前記転写手段の下流側で、搬送される前記記録媒体に対向して非接触で配置された帯電手段であり、前記帯電手段が放電することで前記記録媒体上に転写された前記トナー像に前記トナー像の電荷の極性と同極性の電荷を付与することで、前記記録媒体と前記トナー像の付着力を増加させる、
ことを特徴とする。
【００１３】
請求項８記載の発明は、請求項１に記載の画像形成装置において、
前記付着力増加手段は、前記記録媒体の搬送方向において、前記像保持体から前記記録媒体へ前記トナー像を転写する前記転写手段の上流側で、搬送される前記記録媒体に対向して非接触で配置された帯電手段であり、前記帯電手段が放電することで前記記録媒体に前記トナー像の電荷の極性と逆極性の電荷を付与することで、前記記録媒体と前記トナー像の付着力を増加させる、
ことを特徴とする。
【００１４】
請求項９に記載の発明は、請求項６ないし８のいずれか１項に記載の画像形成装置において、
前記帯電手段は、コロトロン帯電器である、
ことを特徴とする。
【００１５】
請求項１０記載の発明は、請求項６ないし８のいずれか１項に記載の画像形成装置において、
前記帯電手段は、複数の鋸刃状電極からなる尖状電極部材である、
ことを特徴とする。
【００１６】
請求項１１記載の発明は、請求項１に記載の画像形成装置において、
前記付着力増加手段は、前記記録媒体の搬送方向において、前記像保持体から前記記録媒体へ前記トナー像を転写する前記転写手段の上流側で、搬送される前記記録媒体に対向して配置された電荷付与手段であり、前記トナー像の電荷の極性と逆極性のバイアス電圧が印加された前記電荷付与手段が前記記録媒体に接触することで前記記録媒体に前記トナー像の電荷の極性と逆極性の電荷を付与することで、前記記録媒体と前記トナー像の付着力を増加させる、
ことを特徴とする。
【００１７】
請求項１２記載の発明は、請求項１１に記載の画像形成装置において、
前記電荷付与手段は、導電性繊維を含む毛羽が前記記録媒体の搬送方向に交差して植設されたバーブラシである、
ことを特徴とする。
【００１８】
請求項１３記載の発明は、請求項１１に記載の画像形成装置において、
前記電荷付与手段は、導電性繊維を含む毛羽が回転軸の周りに植設されたロールブラシである、
ことを特徴とする。
【００１９】
請求項１４記載の発明は、請求項１１に記載の画像形成装置において、
前記電荷付与手段は、導電性弾性体層を有する回転ロールである、
ことを特徴とする。
【００２０】
請求項１５記載の発明は、請求項１に記載の画像形成装置において、
前記付着力増加手段は、前記像保持体から前記記録媒体へ前記トナー像を転写する前記転写手段の前記記録媒体への押圧力を増加することで、前記トナー像の付着力を増加させる、
ことを特徴とする。
【発明の効果】
【００２１】
請求項１に記載の発明によれば、余白あり印刷時に比べて記録媒体とトナー像の付着力を増加させる付着力増加手段を有しない構成に比して、余白なし印刷時に、トナーによる用紙の汚れを抑制することができる。
【００２２】
請求項２に記載の発明によれば、トナー及びキャリアからなる現像剤中のトナー濃度を減少させる付着力増加手段を有しない構成に比べて、トナー像の帯電量を容易に増加させることができる。
【００２３】
請求項３に記載の発明によれば、現像コントラスト電位を上限に固定した際に像保持体上に形成される画質調整用トナー像の濃度に基づいて、現像剤中のトナー濃度を減少させる付着力増加手段を有しない構成に比べて、トナー像の帯電量を容易に増加させることができる。
【００２４】
請求項４に記載の発明によれば、現像剤中のトナーを像保持体に吐き出すことにより、トナー濃度を余白あり印刷時よりも１質量％ないし３質量％減少させる付着力増加手段を有しない構成に比べて、トナー像の帯電量を容易に増加させることができる。
【００２５】
請求項５に記載の発明によれば、像保持体の移動方向最下流に配置された感光体と像保持体の間に印加される一次転写バイアス電圧を増加させる付着力増加手段を有しない構成に比べて、トナー像の帯電量を容易に増加させることができる。
【００２６】
請求項６に記載の発明によれば、像保持体の移動方向最下流に配置された感光体と像保持体から記録媒体へトナー像を転写する転写手段の間で像保持体に対向して非接触で配置された帯電手段を有しない構成に比して、トナー像の帯電量を容易に増加させることができる。
【００２７】
請求項７に記載の発明によれば、記録媒体の搬送方向において、像保持体から記録媒体へトナー像を転写する転写手段の下流側で、搬送される記録媒体に対向して非接触で配置された帯電手段を有しない構成に比して、記録媒体とトナー像の付着力を容易に増加させることができる。
【００２８】
請求項８に記載の発明によれば、記録媒体の搬送方向において、像保持体から記録媒体へトナー像を転写する転写手段の上流側で、搬送される記録媒体に対向して非接触で配置された帯電手段を有しない構成に比して、記録媒体とトナー像の付着力を容易に増加させることができる。
【００２９】
請求項９及び１０に記載の発明によれば、トナー像が転写された記録媒体と非接触で記録媒体とトナー像の付着力を容易に増加させることができる。
【００３０】
請求項１１に記載の発明によれば、像保持体から記録媒体へトナー像を転写する転写手段の上流側で、搬送される記録媒体に対向して配置された電荷付与手段を有しない構成に比して、記録媒体にトナー像の付着力を増加させる電荷を付与することができる。
【００３１】
請求項１２、１３、１４に記載の発明によれば、トナー像が転写される記録媒体にトナー像の付着力を増加させる電荷を容易に付与することができる。
【００３２】
請求項１５に記載の発明によれば、像保持体から記録媒体へトナー像を転写する転写手段の記録媒体への押圧力を増加する付着力増加手段を有しない構成に比べて、記録媒体とトナー像の付着力を増加させることができる。
【図面の簡単な説明】
【００３３】
【図１】画像形成装置の内部構成を示す断面模式図である。
【図２】画像形成部の構成を示す断面模式図である。
【図３】画像形成装置の機能構成の一例を示すブロック図である。
【図４】（ａ）は縁無し印刷、（ｂ）は縁有り印刷を説明する図である。
【図５】余白なし印刷時のトナー像形成を説明する図であり、（ａ）は中間転写ベルト上に形成されるトナー像サイズ、（ｂ）は用紙サイズ、（ｃ）は用紙サイズとトナー像サイズの関係を示す。
【図６】余白なし印刷時にトナー像の帯電量を増加させる動作の流れを示すフローチャートである。
【図７】インターイメージ部にトナーバンドが形成されたときの中間転写体上のトナー像を示す平面模式図である。
【図８】余白なし印刷時にトナー像の帯電量を増加させる変形例の動作の流れを示すフローチャートである。
【図９】中間転写ベルト上に形成される画像データのトナー像とインターイメージ領域に形成される画質調整用トナー像を示す平面模式図である。
【図１０】一次転写バイアスの印加を説明する画像形成部の断面模式図である。
【図１１】（ａ）は中間転写ベルトの移動方向最下流に配置された感光体と二次転写部の間で中間転写ベルトに対向して配置されたコロトロン帯電器を示す断面模式図、（ｂ）は中間転写ベルトの移動方向最下流に配置された感光体と二次転写部の間で配置された尖状電極部材を示す断面模式図である。
【図１２】（ａ）は二次転写部の下流側で、搬送される記録媒体に対向して配置されたコロトロン帯電器を示す断面模式図、（ｂ）は二次転写部の下流側で、搬送される記録媒体に対向して配置された尖状電極部材を示す断面模式図である。
【図１３】（ａ）は二次転写部の上流側で、搬送される記録媒体に対向して配置されたコロトロン帯電器を示す断面模式図、（ｂ）は二次転写部の上流側で、搬送される記録媒体に対向して配置された尖状電極部材を示す断面模式図である。
【図１４】（ａ）は二次転写部の上流側で、搬送される記録媒体に対向して配置されたバーブラシを示す断面模式図、（ｂ）は二次転写部の上流側で、搬送される記録媒体に対向して配置されたロールブラシを示す断面模式図である。
【図１５】（ａ）は二次転写部の上流側で、搬送される記録媒体に対向して配置された回転ロールを示す断面模式図、（ｂ）は二次転写部の上流側で、搬送される記録媒体に対向して配置された変形例の回転ロールを示す断面模式図である。
【図１６】二次転写ロールの押圧機構を示す断面模式図である。
【発明を実施するための形態】
【００３４】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００３５】
「第１実施形態」
（１）画像形成装置の全体構成及び動作
図１は本実施形態に係る画像形成装置１の内部構成を示す断面模式図、図２は本実施形態に係る画像形成部１０の構成を示す断面模式図である。
以下、図面を参照しながら、画像形成装置１の全体構成及び動作を説明する。
【００３６】
（１．１）画像形成装置の全体構成
画像形成装置１は、画像形成部１０と、画像形成部１０の底部に装着された給紙装置２０と、操作表示部３０と、画像処理部４０と、を備えて構成されている。
【００３７】
画像形成部１０は、システム制御装置１１、露光装置１２、感光体ユニット１３、現像装置１４、転写装置１５、定着装置１６、を備えて構成され、画像処理部４０から受け取った画像情報を給紙装置２０から送り込まれた用紙Ｐ上にトナー像ＴＮ１として形成する。
【００３８】
画像形成部１０の底部には、用紙トレイ２１、２２を有する給紙装置２０が設けられ、更に給紙装置２０の下方には、上下方向に多段（本実施形態においては２段）に配置され、用紙Ｐを収容する用紙トレイＴ１、Ｔ２からなるトレイモジュールＴＭが接続されて画像形成部１０に対する用紙供給を行う。
すなわち、種類（例えば、材質や厚さ、用紙サイズ、紙目）の異なる用紙を収容する複数のトレイを備えており、これら複数のトレイのいずれか一つから繰り出した用紙を画像形成部１０に対して供給するように構成されている。
【００３９】
操作表示部３０は、いわゆるユーザインタフェースに相当するもので、具体的には液晶表示パネル、各種操作ボタン、タッチパネル等を組み合わせて構成され各種の設定や指示の入力及び情報表示に用いられる。
【００４０】
画像処理部４０は、外部機器８２（図２に図示：例えばパーソナルコンピュータ等）から送信された印刷情報から画像データを生成する。
【００４１】
（１．２）画像形成部１０の構成及び動作
このような構成の画像形成装置１では、画像形成のタイミングに合わせて給紙装置２０又はトレイモジュールＴＭのうち、印刷ジョブで印刷の１枚毎に指定されたトレイから繰り出された用紙Ｐが画像形成部１０へ送り込まれる。
【００４２】
感光体ユニット１３は、給紙装置２０の上方（Ｚ方向）に、それぞれが並列して設けられ、回転駆動する感光体ドラム１３１を備えている。露光装置１２により静電潜像が形成されたそれぞれの感光体ドラム１３１上には、それぞれの現像装置１４によってイエロー（Ｙ）、マゼンタ（Ｍ）、シアン（Ｃ）、黒（Ｋ）のトナー像が形成される。
【００４３】
転写装置１５は、各感光体ユニット１３の感光体ドラム１３１上に形成された各色トナー像が多重転写される中間転写ベルト１５１、各感光体ユニット１３にて形成された各色トナー像を中間転写ベルト１５１に順次転写（一次転写）する一次転写ローラ１５２を備えている。
【００４４】
各感光体ユニット１３の感光体ドラム１３１上に形成された各色トナー像は、システム制御装置１１により制御される電源装置等から所定の転写電圧が印加された一次転写ローラ１５２により中間転写ベルト１５１上に順次静電転写（一次転写）され、各色トナーが重畳された重畳トナー像が形成される。
【００４５】
中間転写ベルト１５１上の重畳トナー像は、中間転写ベルト１５１の移動に伴って二次転写部ＴＲに搬送される。重畳トナー像が二次転写部ＴＲに搬送されると、そのタイミングに合わせてレジストローラ対２４から用紙Ｐが二次転写部ＴＲに供給される。
そして、二次転写ローラ１５３には、システム制御装置１１により制御される電源装置から所定の転写電圧が印加され、レジストローラ対２４から送り出された用紙Ｐに中間転写ベルト１５１上の多重トナー像が一括転写される。
【００４６】
二次転写部ＴＲの用紙搬送方向下流側には、電極部材１５６ａ、案内ガイド１５６ｂから構成される徐電装置１５６が配置され、トナー像が二次転写された用紙Ｐは、電極部材１５６ａで用紙Ｐの背面から徐電されながら、中間転写ベルト１５１から分離・剥離され、案内ガイド１５６ｂにガイドされながら、搬送ガイド１５７を経由して定着装置１６に搬送される。
【００４７】
定着装置１６は、加熱モジュール１６１と加圧モジュール１６２を有し、加熱モジュール１６１と加圧モジュール１６２の圧接領域によって定着ニップ部ＮＰ（定着領域）が形成される。定着装置１６に搬送された用紙Ｐは、定着ニップ部ＮＰで加熱と圧着の作用でトナー像が定着される。
定着トナー像が形成された用紙Ｐは、搬送ガイドによってガイドされ、排出ローラ対１６５から画像形成装置１上面の排紙トレイ部ＴＲ１に排出・収容される。
【００４８】
（２）画像形成装置１の機能構成と動作
図３は画像形成装置１の機能構成の一例を示すブロック図、図４（ａ）は余白あり印刷、（ｂ）は全面余白なし印刷、（ｃ）は一部余白なし印刷のトナー像形成を説明する図、図５は余白なし印刷時のトナー像形成を説明する図であり、（ａ）は中間転写ベルト１５１上に形成されるトナー像サイズ、（ｂ）は用紙サイズ、（ｃ）は用紙サイズとトナー像サイズの関係を示す。
【００４９】
（２．１）システム制御装置の機能構成
画像形成装置１は、画像出力制御部１１１、余白有無判別部１１２、トナー帯電量制御部１１３、電源制御部１１５、露光制御部１１６、定着温度制御部１１７を含むシステム制御装置１１を備え、メモリに記憶された制御プログラムを実行して、画像形成装置１全体の動作制御を行う。
【００５０】
画像出力制御部１１１は、給紙装置２０との間の情報授受についての制御の他に、画像形成部１０が備える露光装置１２、感光体ユニット１３、現像装置１４、転写装置１５、定着装置１６等に対して、動作制御指示を与える。
又、画像出力制御部１１１は、システム制御装置１１が備える電源制御部１１５、露光制御部１１６、定着温度制御部１１７に対して、それぞれ動作制御指示を与える。すなわち、画像形成部１０を構成する露光装置ＬＨ、感光体ユニット１３、現像装置１４、転写装置１５、定着装置１６等への給電、駆動を行うか否かを決定し、その決定結果をそれぞれの制御部に対して指示する。
【００５１】
更に、画像出力制御部１１１は、余白有無判別部１１２、トナー帯電量制御部１１３との間の情報授受を行い、余白なし印刷が判断された場合に、予め定められた動作制御を行う。
【００５２】
余白有無判別部１１２は、プリンタドライバで設定された印刷条件に基づいて余白なし印刷か余白あり印刷かを判断する。
図４（ａ）に模式的に示すように、余白あり印刷時には、トナー像は用紙Ｐ内に全て収まり、用紙Ｐの各辺に上余白（ｍｈ）・下余白（ｍｂ）・左余白（ｍｌ）・右余白（ｍｒ）の周辺余白が存在する。
これに対し余白なし印刷は、図４（ｂ）に示すように、トナー像が用紙Ｐの端部にまで達しており、周辺余白がなくなる。図４（ｂ）においては、上余白・下余白・左余白・右余白のすべてがない状態を図示してあるものの、図４（ｃ）に一例として示すように一部の端部に余白がなければ縁無し印刷と判断する。
【００５３】
トナー帯電量制御部１１３は、余白なし印刷が判断された場合に、余白あり印刷時に比べて用紙Ｐとトナー像の付着力を増加させる所定の動作を実行する。具体的には、トナーＴ及びキャリアＧからなる現像剤Ｄ中のトナー濃度ＴＣを減少させることで、トナー像の帯電量を増加させる。
【００５４】
（２．２）縁無し印刷
画像形成装置１は、用紙Ｐの端部の全周に渡って余白部を設けて画像を印刷する余白あり印刷モードと、余白部を設けず用紙Ｐの端部に至るまで画像を印刷する余白なし印刷モードを有している。
尚、係る余白なし印刷モードの有無は、画像形成装置１の動作を制御するシステム制御装置１１の余白有無判別部１１２により判断される。
【００５５】
図５（ａ）は中間転写ベルト５１上に形成されるトナー像サイズを表しており、縦はＩｖ、横はＩｈである。また、図５（ｂ）は用紙Ｐのサイズを表しており、縦はＰｖ、横はＰｈである。
トナー像と用紙Ｐのサイズ関係は図５（ｃ）に模式的に示すように、Ｐｖ＜Ｉｖ、Ｐｈ＜Ｉｈとなるように設定される。つまり、用紙Ｐが前後左右に少々ずれて給紙されても、用紙Ｐに余白が生じることがないように、トナー像のサイズは選択されている用紙サイズより若干大きくなるように形成される。
【００５６】
中間転写ベルト１５１上には、網点で示したＩｖ×Ｉｈサイズのトナー像が形成される。Ｉｖ×Ｉｈサイズのトナー像は、中間転写ベルト１５１により、二次転写部ＴＲへ向かって搬送される。一方、用紙Ｐは、レジストローラ対２４によってタイミング制御され、トナー像が二次転写部ＴＲに進入するのに合わせて二次転写部ＴＲに搬送され、用紙Ｐ上には周縁部に余白のない余白なしトナー像が形成される。
【００５７】
中間転写ベルト１５１上に形成されたトナー像のうち、二次転写部ＴＲで用紙Ｐ上に転写されないはみ出しトナー像は、二次転写ローラ１５３上に転写される。二次転写ローラ１５３上のトナー像は、二次転写ローラ１５３に当接して配置されたクリーニングブレード１５４で掻きとられ、回収容器１５５内に収容される（図２  参照）。
【００５８】
余白なしトナー像が形成された用紙Ｐが、搬送ガイド１５７を介して定着装置１６へ搬送される際に、徐電装置１５６の案内ガイド１５６ｂ、搬送ガイド１５７、定着案内ガイド１６３と接触して、用紙Ｐの端部に転写されたトナーが付着することがある。付着したトナーが蓄積すると、二次転写部ＴＲから定着装置１６へ搬送される用紙Ｐの先端部及び裏面に再付着してトナーによる用紙汚れが発生する虞があった。
【００５９】
（３）縁無し印刷時の動作
図６は余白なし印刷時にトナー像の帯電量を増加させる動作の流れを示すフローチャート、図７はインターイメージ部にトナーバンドＴＢが形成されたときの中間転写ベルト１５１上のトナー像を示す平面模式図である。以下、図面を参照しながら余白なし印刷時の動作制御について説明する。
【００６０】
本実施形態に係る画像形成装置１においては、受けつけた印刷ジョブが余白なし印刷モードと判断されると、トナー帯電量制御部１１３は、トナーＴ及びキャリアＧからなる現像剤Ｄ中のトナー濃度ＴＣを減少させることで、トナー像の帯電量を増加させる動作制御を行う。
【００６１】
プリンタドライバにおいて余白なし印刷が指定される（Ｓ１０１）と、余白有無判別部１１２は、受け付けた印刷ジョブが余白なし印刷と判断し、トナー帯電量制御部１１３は、トナー濃度ＴＣの目標値ＴＣ１を余白なし印刷モード用の目標値ＴＣ２に変更する（Ｓ１０２）。余白なし印刷モード用のトナー濃度ＴＣ２としては、余白あり印刷モードよりも１質量％ないし３質量％減少させることで、印刷される画像濃度を低下させることなく、トナー帯電量を増加させることができる。
【００６２】
そして、画像出力制御部１１１は、現像装置１４内に収容されている現像剤Ｄ中の現在のトナー濃度ＴＣＭをトナーセンサ（不図示）を介して取得する（Ｓ１０３）。
そして、取得した現在のトナー濃度ＴＣＭは目標のトナー濃度ＴＣ２より低くなっているか否かを判定する（Ｓ１０４）。現在のトナー濃度ＴＣＭが目標とするトナー濃度ＴＣ２よりも高い場合（Ｓ１０４：Ｎｏ）、トナー帯電量制御部１１３は、トナー吐き出し動作の実行を画像出力制御部１１１に対して指示する（Ｓ１０５）。
【００６３】
トナー吐き出しは、図７に示すように、感光体ドラム１３１上の隣接するトナー像間に位置する非画像領域（インターイメージ部ＩＭ）に、感光体ドラム１３１の回転移動方向と交差する方向（幅方向）に伸びたトナーバンドＴＢを形成して二次転写ローラ１５３に転写させて、現像剤Ｄ中のトナーＴを消費することにより行う。二次転写ローラ１５３上に転写されたトナーバンドＴＢのトナーはクリーニングブレード１５４で掻き落され回収容器１５５に収容される。尚、トナーバンドＴＢは、インターイメージ部ＩＭのみならず、全面に形成して、より短時間でトナー濃度ＴＣＭを低下させてもよい。
【００６４】
現在のトナー濃度ＴＣＭが目標値ＴＣ２に比べて低くなった場合（Ｓ１０４：Ｙｅｓ）、余白なし印刷である印刷ジョブを実行する（Ｓ１０６）。
このようにして、余白なし印刷モードにおけるトナー濃度ＴＣ２を、余白あり印刷モードよりも１質量％ないし３質量％減少させることでトナー帯電量を増加させ、用紙Ｐの端部に転写されたトナーの搬送ガイド１５７、定着案内ガイド１６３への付着を抑制することができる。
【００６５】
「変形例」
図８は余白なし印刷時にトナー像の帯電量を増加させる変形例の動作の流れを示すフローチャート、図９は中間転写ベルト１５１上に形成される画像データのトナー像ＴＮ１とインターイメージ領域Ｓ２に形成される画質調整用トナー像ＴＮ２を示す平面模式図である。以下、図面を参照しながら余白なし印刷時の変形例１に係る動作制御について説明する。
【００６６】
変形例に係る画像形成装置１においては、受けつけた印刷ジョブが余白なし印刷モードと判断されると、トナー帯電量制御部１１３は、現像コントラスト電位Ｖdeve（＝ＶB−ＶL：ＶBは現像バイアス電位、ＶLは感光体ドラム１３１の露光部電位）を上限に固定した状態で中間転写ベルト１５１上に形成される画質調整用トナー像ＴＮ２の濃度に基づいて、現像剤Ｄ中のトナー濃度ＴＣを減少させることで、トナー像の帯電量を増加させる。  
【００６７】
プリンタドライバにおいて余白なし印刷が指定される（Ｓ２０１）と、余白有無判別部１１２は、受け付けた印刷ジョブが余白なし印刷と判断し、トナー帯電量制御部１１３は、現像コントラスト電位Ｖdeveを上限に固定に設定する（Ｓ２０２）。これにより、現像されるトナー像は最も画像濃度が高くなるように制御されることになり、より低いトナー濃度ＴＣ、すなわち高いトナー帯電量の状態で画像形成を行うことができる。
そして、図９に示すように、中間転写ベルト１５１上に画質調整用トナー像ＴＮ２を形成して、濃度センサ（不図示）で形成された画質調整用トナー像ＴＮ２を読み取ってその濃度を測定する（Ｓ２０３）。
【００６８】
続いて、読み取った画質調整用トナー像ＴＮ２の濃度が目標値上限よりも高いか否か判断する（Ｓ２０４）。画質調整用トナー像ＴＮ２の濃度が目標値上限よりも高い場合（Ｓ２０５：Ｙｅｓ）、トナー帯電量制御部１１３は、トナー吐き出し動作の実行を画像出力制御部１１１に対して指示する（Ｓ２０５）。トナー吐き出しは、中間転写ベルト１５１上にトナーバンドＴＢを形成することにより行う。
【００６９】
画質調整用トナー像ＴＮ２の濃度が目標値上限よりも高くない場合（Ｓ２０５：Ｎｏ）、さらに、画質調整用トナー像ＴＮ２の濃度が目標値下限よりも低いか否か判断する（Ｓ２０６）。画質調整用トナー像ＴＮ２の濃度が目標値下限よりも低い場合（Ｓ２０６：Ｙｅｓ）、現像装置１４の現像剤ＤへトナーＴを補給（Ｓ２０７）してトナー濃度を高くする。
【００７０】
画質調整用トナー像ＴＮ２の濃度が目標値下限よりも低くない場合（Ｓ２０６：Ｎｏ）、余白なし印刷である印刷ジョブを実行する（Ｓ２０８）。
このようにして、余白なし印刷モードにおけるトナー濃度ＴＣ２を、余白あり印刷モードよりも１質量％ないし３質量％減少させることでトナー帯電量を増加させ、用紙Ｐの端部に転写されたトナーの搬送ガイド１５７、定着案内ガイド１６３への付着を抑制することができる。
【００７１】
「第２実施形態」
図１０は一次転写バイアスの印加を説明する画像形成部１０の断面模式図、図１１（ａ）は中間転写ベルト１５１の移動方向最下流に配置された感光体ドラム１３１と二次転写部ＴＲの間で中間転写ベルト１５１に対向して配置されたコロトロン帯電器１７０を示す断面模式図、（ｂ）は中間転写ベルト１５１の移動方向最下流に配置された感光体ドラム１３１と二次転写部ＴＲの間で配置された尖状電極部材１７１を示す断面模式図である。
【００７２】
本実施形態に係る画像形成装置１Ａは、余白なし印刷モードで中間転写ベルト１５１上に形成されたトナー像ＴＮ１のトナー帯電量を増加させて用紙Ｐの端部に転写されたトナーの搬送ガイド１５７、定着案内ガイド１６３への付着を抑制する。
【００７３】
画像形成装置１Ａにおいては、受けつけた印刷ジョブが余白なし印刷モードと判断されると、トナー帯電量制御部１１３は、中間転写ベルト１５１の移動方向における最下流に配置された感光体ユニット１３に対向した一次転写ローラ１５２に印加される一次転写バイアス電圧を余白あり印刷モードに比べて増加させる。具体的には、余白あり印刷モードにおいては、一次転写バイアスとして、例えばプロセス速度が３００ｍｍ／ｓのときは、定電流制御で＋２０μＡ〜３０μＡで印加され、余白なしモードにおいては、２０％〜６０％高く設定される。
これにより、中間転写ベルト１５１上に重畳して形成されるトナー像ＴＮ１のトナー帯電量を増加させることができる。
【００７４】
「変形例１」
変形例１に係る画像形成装置１Ａは、図１１（ａ）に示すように、中間転写ベルト１５１の移動方向最下流に配置された感光体ユニット１３と二次転写部ＴＲの間で中間転写ベルト１５１に対向して配置されたコロトロン帯電器１７０を備えている。
画像形成装置１Ａにおいては、受けつけた印刷ジョブが余白なし印刷モードと判断されると、トナー帯電量制御部１１３は画像出力制御部１１１を介して、コロトロン帯電器１７０に高圧電界を印加してマイナス放電させることで、中間転写ベルト１５１上に重畳して形成されたトナー像のトナー帯電量を増加させる。
【００７５】
「変形例２」
変形例２に係る画像形成装置１Ａは、図１１（ｂ）に示すように、中間転写ベルト１５１の移動方向最下流に配置された感光体ユニット１３と二次転写部ＴＲの間で中間転写ベルト１５１に対向して配置された尖状電極部材１７１を備えている。
画像形成装置１Ａにおいては、受けつけた印刷ジョブが余白なし印刷モードと判断されると、トナー帯電量制御部１１３は画像出力制御部１１１を介して、尖状電極部材１７１に高圧電界を印加してマイナス放電させることで、中間転写ベルト１５１上に重畳して形成されたトナー像のトナー帯電量を増加させる。
【００７６】
このように、画像形成装置１Ａにおいては、余白なし印刷モード時に中間転写ベルト１５１上に重畳して形成されるトナー像のトナー帯電量を増加させて二次転写部ＴＲで用紙Ｐに転写されるトナー像と用紙Ｐとの静電付着力を上昇させることで、用紙Ｐの端部に転写されたトナーの搬送ガイド１５７、定着案内ガイド１６３への付着を抑制することができる。
【００７７】
「第三実施形態」
図１２（ａ）は二次転写部ＴＲの下流側で、搬送される記録媒体に対向して配置されたコロトロン帯電器１７０を示す断面模式図、（ｂ）は二次転写部ＴＲの下流側で、搬送される記録媒体に対向して配置された尖状電極部材１７１を示す断面模式図である。
本実施形態に係る画像形成装置１Ｂは、余白なし印刷モードで用紙Ｐに転写されたトナー像のトナー帯電量を増加させて用紙Ｐとトナー像ＴＮ１との静電付着力を上昇させることで用紙Ｐの端部に転写されたトナーの搬送ガイド１５７、定着案内ガイド１６３への付着を抑制する。
【００７８】
画像形成装置１Ｂは、図１２（ａ）に示すように、二次転写部ＴＲの下流側で、搬送される用紙Ｐに対向して配置されたコロトロン帯電器１７０を備えている。
画像形成装置１Ｂにおいては、受けつけた印刷ジョブが余白なし印刷モードと判断されると、トナー帯電量制御部１１３は画像出力制御部１１１を介して、コロトロン帯電器１７０に高圧電界を印加してマイナス放電させることで、用紙Ｐ上に転写されたトナー像のトナー帯電量を増加させて用紙Ｐとトナー像ＴＮ１との静電付着力を上昇させ用紙Ｐの端部に転写されたトナーの搬送ガイド１５７、定着案内ガイド１６３への付着を抑制することができる。
【００７９】
「変形例」
変形例に係る画像形成装置１Ｂは、図１２（ｂ）に示すように、二次転写部ＴＲの下流側で、搬送される用紙Ｐに対向して配置された尖状電極部材１７１を備えている。
画像形成装置１Ｂにおいては、受けつけた印刷ジョブが余白なし印刷モードと判断されると、トナー帯電量制御部１１３は画像出力制御部１１１を介して、尖状電極部材１７１に高圧電界を印加してマイナス放電させることで、用紙Ｐ上に転写されたトナー像ＴＮ１のトナー帯電量を増加させて用紙Ｐとトナー像ＴＮ１との静電付着力を上昇させ用紙Ｐの端部に転写されたトナーの搬送ガイド１５７、定着案内ガイド１６３への付着を抑制することができる。
【００８０】
「第四実施形態」
図１３（ａ）は二次転写部ＴＲの上流側で、搬送される記録媒体に対向して配置されたコロトロン帯電器１７０を示す断面模式図、（ｂ）は二次転写部ＴＲの上流側で、搬送される記録媒体に対向して配置された尖状電極部材１７１を示す断面模式図、図１４（ａ）は二次転写部ＴＲの上流側で、搬送される記録媒体に対向して配置されたバーブラシ１８０を示す断面模式図、（ｂ）は二次転写部ＴＲの上流側で、搬送される記録媒体に対向して配置されたロールブラシ１８１を示す断面模式図である。図１５（ａ）は二次転写部ＴＲの上流側で、搬送される記録媒体に対向して配置された回転ロール１８２を示す断面模式図、（ｂ）は二次転写部ＴＲの上流側で、搬送される記録媒体に対向して配置された回転ロール１８２と対向ロール１８３を示す断面模式図である。
【００８１】
本実施形態に係る画像形成装置１Ｃは、余白なし印刷モードで二次転写前の用紙Ｐを予め帯電させることで用紙Ｐとトナー像との静電吸着力を増加させて用紙Ｐの端部に転写されたトナーの搬送ガイド１５７、定着案内ガイド１６３への付着を抑制する。
【００８２】
画像形成装置１Ｃは、図１３（ａ）に示すように、二次転写部ＴＲの上流側で、搬送される用紙Ｐに対向して配置されたコロトロン帯電器１７０を備えている。
画像形成装置１Ｃにおいては、受けつけた印刷ジョブが余白なし印刷モードと判断されると、トナー帯電量制御部１１３は画像出力制御部１１１を介して、コロトロン帯電器１７０にトナーの電荷と逆極性の高圧電界を印加してプラス放電させることで、二次転写前の用紙Ｐを正帯電させて転写されるトナー像ＴＮ１との静電付着力を上昇させ用紙Ｐの端部に転写されたトナーの搬送ガイド１５７、定着案内ガイド１６３への付着を抑制することができる。
【００８３】
「変形例１」
変形例１に係る画像形成装置１Ｃは、図１３（ｂ）に示すように、二次転写部ＴＲの下流側で、搬送される用紙Ｐに対向して配置された尖状電極部材１７１を備えている。
画像形成装置１Ｃにおいては、受けつけた印刷ジョブが余白なし印刷モードと判断されると、トナー帯電量制御部１１３は画像出力制御部１１１を介して、尖状電極部材１７１に高圧電界を印加してプラス放電させることで、二次転写前の用紙Ｐを正帯電させて転写されるトナー像ＴＮ１との静電付着力を上昇させ用紙Ｐの端部に転写されたトナーの搬送ガイド１５７、定着案内ガイド１６３への付着を抑制することができる。
【００８４】
「変形例２」
変形例２に係る画像形成装置１Ｃは、図１４（ａ）に示すように、二次転写部ＴＲの下流側で、搬送される用紙Ｐに対向して用紙Ｐの搬送方向に交差して植設されたバーブラシ１８０を備えている。バーブラシ１８０は、導電性繊維を含む毛羽からなり、用紙Ｐの裏面に接触した状態でバイアス電圧が印加されることで用紙Ｐを正帯電させて転写されるトナー像との静電付着力を上昇させ用紙Ｐの端部に転写されたトナーの搬送ガイド１５７、定着案内ガイド１６３への付着を抑制することができる。
【００８５】
導電性繊維としては、一例として、ナイロン等のポリアミド類、ポリブチレンテレフタレート（ＰＥＴ）等のポリエステル類、ポリエチレン（ＰＥ）やポリプロピレン（ＰＰ）などのポリオレフィン類からなる合成繊維に導電性フィラーとしてカーボンブラックが分散されて、体積抵抗率が１×１０６Ω・ｃｍ〜１×１０１０Ω・ｃｍに調整され、接触した用紙Ｐに電荷を付与すると同時に、二次転写部ＴＲで印加される二次転写バイアスのバーブラシ１８０を通じた漏洩を抑制している。
【００８６】
「変形例３」
変形例３に係る画像形成装置１Ｃは、図１４（ｂ）に示すように、二次転写部ＴＲの下流側で、搬送される用紙Ｐに対向して用紙Ｐの搬送方向に交差して回転可能に配置されたロールブラシ１８１を備えている。ロールブラシ１８１は、回転軸の周りに植設された導電性繊維を含む毛羽からなり、用紙Ｐの裏面に回転しながら接触した状態でバイアス電圧が印加されることで用紙Ｐを正帯電させて転写されるトナー像ＴＮ１との静電付着力を上昇させ用紙Ｐの端部に転写されたトナーの搬送ガイド１５７、定着案内ガイド１６３への付着を抑制することができる。
【００８７】
導電性繊維としては、バーブラシ１８０と同様に、ナイロン等のポリアミド類、ポリブチレンテレフタレート（ＰＥＴ）等のポリエステル類、ポリエチレン（ＰＥ）やポリプロピレン（ＰＰ）などのポリオレフィン類からなる合成繊維に導電性フィラーとしてカーボンブラックが分散されて、体積抵抗率が１×１０６Ω・ｃｍ〜１×１０１０Ω・ｃｍに調整され、接触した用紙Ｐに電荷を付与すると同時に、二次転写部ＴＲで印加される二次転写バイアスのロールブラシ１８１を通じた漏洩を抑制している。
【００８８】
「変形例４」
変形例４に係る画像形成装置１Ｃは、図１５（ａ）に示すように、二次転写部ＴＲの下流側で、搬送される用紙Ｐに対向して用紙Ｐの搬送方向に交差して回転可能に配置された回転ロール１８２を備えている。回転ロール１８２としては、一例として、ステンレス製の導電性芯材の外周にゴム製の導電性発泡弾性体を被覆して構成され、体積抵抗率が１０５Ω・ｃｍ〜１０９Ω・ｃｍの範囲内に設定され、硬度（アスカＣ）が３０°〜５０°の範囲内にあるものを用いることができ、接触した用紙Ｐに電荷を付与すると同時に、二次転写部ＴＲで印加される二次転写バイアスの回転ロール１８２を通じた漏洩を抑制している。
【００８９】
回転ロール１８２は、図１５（ｂ）に示すように、回転ロール１８２に対向した対向ロール１８３と搬送ロール対を構成するようにしてもよい。対向ロール１８３は、回転ロール１８２と同様にステンレス製の導電性芯材の外周にゴム製の導電性発泡弾性体を被覆した構成として接地して配置されている。これにより、用紙Ｐをバイアス電圧が印加された回転ロール１８２と接地された対向ロール１８３でニップしながら搬送して用紙Ｐに電荷を付与して帯電させることができる。
【００９０】
「第４実施形態」
図１６は、二次転写ローラ１５３の押圧機構２００を示す断面模式図である。
本実施形態に係る画像形成装置１Ｄは、二次転写部ＴＲにおける二次転写ローラ１５３の用紙Ｐへの押圧力を増加することで、用紙Ｐとトナー像との付着力を増加させる。
【００９１】
図１６に示すように、二次転写ローラ１５３は、二次転写ローラ１５３の軸１５３ａを支える軸受け１５３ｂ、軸受け１５３ｂを支えて二次転写ローラ１５３の軸１５３ａを押圧するスプリング（押しバネ）１５３ｃ、スプリング１５３ｃ及び軸受け１５３ｂを支える二次転写ローラホルダ１５３ｄを備え、押圧機構２００に支持されて中間転写ベルト１５１を介して駆動ローラ１５８に押圧されている。
【００９２】
押圧機構２００は、図示しないモータおよび駆動伝達機構を介して連結された伝達軸２００ａ、伝達軸２００ａに取り付けられた偏心カム２００ｂを有している。
この二次転写ローラ１５３の押圧機構２００は、偏心カム２００ｂの回転により、二次転写ローラホルダ１５３ｄを図中の矢印方向に移動させることで、スプリング１５３ｃの押圧力を増減させる構成となっている。
【００９３】
画像形成装置１Ｄは、受けつけた印刷ジョブが余白なし印刷モードと判断されると、トナー帯電量制御部１１３は画像出力制御部１１１を介して、押圧機構２００の偏心カム２００ｂを回転して二次転写部ＴＲにおける二次転写ローラ１５３の用紙Ｐへの押圧力を増加することで、用紙Ｐとトナー像ＴＮ１との付着力を増加させる。
これにより、用紙Ｐの端部に転写されたトナーの搬送ガイド１５７、定着案内ガイド１６３への付着を抑制してトナーによる用紙Ｐの先端及び裏面の汚れを抑制することができる。
【符号の説明】
【００９４】
１、１Ａ、１Ｂ、１Ｃ、１Ｄ・・・画像形成装置
１０・・・画像形成部
１１・・・システム制御装置
１１１・・・画像出力制御部
１１２・・・余白有無判別部
１１３・・・トナー帯電量制御部
１１５・・・電源制御部
１１６・・・露光制御部
１１７・・・定着温度制御部
１２・・・露光装置
１３・・・感光体ユニット
１４・・・現像装置
１５・・・転写装置
１５１・・・中間転写ベルト
１５２・・・一次転写ローラ
１５３・・・二次転写ローラ
１６・・・定着装置
１７０・・・コロトロン帯電器
１７１・・・尖状電極部材
１８０・・・バーブラシ
１８１・・・ロールブラシ
１８３・・・回転ロール
１８４・・・対向ロール
２００・・・押圧機構
２０・・・給紙装置
３０・・・操作表示部
４０・・・画像処理部
Ｐ・・・用紙
ＴＲ・・・二次転写部
ＮＰ・・・定着ニップ部
【図１】
2018189932.tif 000003
【図２】
2018189932.tif 000004
【図３】
2018189932.tif 000005
【図４】
2018189932.tif 000006
【図５】
2018189932.tif 000007
【図６】
2018189932.tif 000008
【図７】
2018189932.tif 000009
【図８】
2018189932.tif 000010
【図９】
2018189932.tif 000011
【図１０】
2018189932.tif 000012
【図１１】
2018189932.tif 000013
【図１２】
2018189932.tif 000014
【図１３】
2018189932.tif 000015
【図１４】
2018189932.tif 000016
【図１５】
2018189932.tif 000017
【図１６】
2018189932.tif 000018